(57)【要約】【課題】切り花の輸送を、新鮮度を維持して、かつ安全性高く、効率よく輸送することである。【解決手段】切り花１の茎３の切り口４を保水剤５に挿し込んで、切り花１を横倒しの状態で輸送容器６に収容して切り花１を輸送するようにした切り花１の輸送用装置２である。容器下部の水は常に保水剤５を通じて切花１に給水できる。いろんな包装箱に対応できるように、上記防水容器７は柔軟容器もしくは折り畳み自在や伸縮自在、膨縮自在とするのが好ましく、また係止器材の外周面に係止部９、１０を設け、輸送容器６の上記係止部９、１０の対向部に被係止部１１を設けて、これらの係止部９、１０を被係止部１１に係止して花を傷めないように輸送するようにしている。【選択図】図１
2004182342.tif 000002
【特許請求の範囲】
【請求項１】
切り花の切り口を保水材に挿し込んで、切り花を横倒しの状態で搬送容器に収容して切り花を搬送するようにした切り花の搬送用装置であって、貯水用容器の下部にある水は保水材を通じて切り花に給水できることを特徴とする切り花の搬送用装置。
【請求項２】
貯水用容器を折り畳み自在や伸縮自在、膨縮自在のものとした請求項１に記載の切り花の輸送用装置。
【請求項３】
保水材をその外周部を被覆する貯水用容器に装着し、その貯水用容器は柔軟性容器または袋状容器とした請求項１または２に記載の切り花の搬送用装置。
【請求項４】
貯水用容器に係止部を設け、輸送容器の上記係止部の対向部に被係止部を設けて、これらの係止部を被係止部に係止して輸送するようにした請求項１に記載の切り花の輸送用装置。
【請求項５】
貯水用容器の係止部は貯水部と分離可能に接続した請求項１ないし４のいずれかに記載の切り花の輸送用装置。
【発明の詳細な説明】
【０００１】
【発明が属する技術分野】本発明は、花卉分野における、特に切り花を小売店や卸会社等に鮮度を維持して輸送できる切り花の輸送用装置および保水用装置に関するものである。
【０００２】
【従来の技術】切り花は、採花から数日後に小売店等に並べられるが、この数日間が輸送される日数で最も鮮度の維持が難しい。そのため、生花を生産者から卸会社または小売店に出荷するのに、鮮度を維持するためにウレタンフォーム等を装着した給水ユニットを使用したり、バケットを使用したり輸送することが行われている。
【０００３】
【発明が解決しようとする課題】しかし、一般的には給水ユニットに給水した水が漏れ出ないようにするために、搬送容器の下方側に給水ユニットを設け、切り花を垂直状に立てた状態とするために搬送容器を立てて運搬車に積み込まねばならないので、輸送量に制約が生じて運搬スペースに無駄が生じ、大量の切り花を運搬することができなくて、コスト高となり、かつ手間がかかるものであった。
【０００４】また、切り花の切り口部を水の含ませた紙に包み、さらに防水フィルムシートに包んで梱包して横積みすることも行われているが、紙や防水フィルムシートでの梱包作業が煩雑で、これも大量の切り花の輸送では手間がかかってしまうため困難である。
【０００５】一方、バケット輸送には水のこぼれる恐れがあり、商品どうしの摩擦により花が痛みやすいため、一般の輸送会社は取り扱わない。しかも、包装箱がない為、産地のブランド力を低下させる。
【０００６】
【課題を解決するための手段】本発明は、上記のような点に鑑みたもので、上記の課題を解決するために、切り花の切り口を保水材に挿し込んで、切り花を横倒しの状態で搬送容器に収容して切り花を搬送するようにした切り花の搬送用装置であって、切り花を横積みの際に容器の下部にある水は保水材を通じて切り花に給水できることを特徴とする切り花の搬送用装置を提供するものである。
【０００７】
【発明の実施の態様】本発明の切り花の輸送用装置およびその保水用装置は、切り花の切り口を保水材に挿し込んで、切り花を横倒しの状態で搬送容器に収容して切り花を搬送するようにした切り花の搬送用装置であって、容器の下部にある水は保水材を通じて切り花に給水できることを特徴としている。
【０００８】切り花１の搬送用装置２は、図１のように所定の長さに切り揃えた切り花１の茎３の切り口４を保水材５に挿し込んで搬送容器６に収容し、搬送容器６をトラック等の運送車に横積みして積載効率よく搬送できるようにしている。
【０００９】特に、保水材５の外周部は、図１、図２のように防水器材７で被覆するように保水材５を防水器材７の内側に装着するようにし、搬送容器６を運送車に横積みしたとき、充分に充填した水分が保水剤５から染み出しても搬送容器６に漏れないようにしている。
【００１０】保水材５としては、不織布や吸水性スポンジ等を所定の大きさに形成し、防水器材７の中に装着して、保水材５に充分に水を含ませて搬送容器６に収容しておけるようにしている。
【００１１】保水材５は、図１、図２のように防水器材７に収納されるようにし、この防水器材７の上部は係止器材８に水密的に配設する、万が一輸送装置２が横倒れになっても、水は重力によって、容器の下部に流れ込み、水漏れがなく輸送できるようにしているものである。
【００１２】防水器材７は、柔軟性のある防水紙袋状容器、或はリサイクル可能なペット樹脂容器もしくはプラスティック容器とする。
【００１３】防水器材７は、柔軟性のある容器のため、産地従来の包装箱を改造せず対応可能、そのため、産地のブランド力を低下させないことが出来る。
【００１４】しかも、産地の従来の段ボールの使用によって、取り扱い格納しやすく、エアカーゴなど長距離輸送も可能である。このように鮮度を維持できて輸送する切り花を運搬による損傷から保護できる。
【００１５】更に、従来の段ボールに差込むだけなので、荷造りに手間がかからない、利便性高く、コストダンが図れ、産地の競争力を高めることができる。
【００１６】上記係止器材８も、防水器材７と同じ防水紙やリサイクル可能なペット樹脂もしくはプラスティックに形成されるものとする。
【００１７】図１、図２のように係止器材８の適宜の位置に枕状のクッション１２を設置し、搬送容器６を横積みしても切花１が損傷しないことができる。
【００１８】また、係止器材８の側面の適宜の位置に突起やフック、ベルベットファスナー等の係止具９、１０を適宜数配設し、これに対向した輸送容器６の側面や底面に開孔やフック、ベルベットファスナー等の被係止具１１を適宜数配設して、これらの係止具９、１０を被係止具１１に簡単に係止して、輸送容器６に防水器材７を固定することができる。
【００１９】図１のように防水器材７を袋状のものとしたが、膨縮可能や折り畳み可能なジャバラ状の容器でも可能であり、したがって、保管・リサイクル時などに折り畳むことができる。
【００２０】なお、上記係止器材は、防水器材７と一体的に成形することで量産化できコストダウンも図れる、また分離結合自在に形成して、リサイクル型も可能である。
【００２１】さらに、上記した防水器材７中の水に鮮度保持剤の前処理剤を添加しておくこともでき、生産者等が直接に前処理剤に触れて手荒れする不快感が生じるのを防止することができ、かつ切り花の出荷処理を迅速に行なえて出荷コストの削減をはかるようにすることができる。
【００２２】また、上記した防水器材７はペットボトル等と同じ樹脂材とし、リサイクル可能な環境にやさしくできるものである。
【００２３】
【実施例】図１〜図３は、本発明の一実施例を示すものである。花１の防水器材７は、図２のように防水性紙袋で３００ｍｍ幅×１５０ｍｍ奥行×２００ｍｍ高さの寸法に形成している。そして、図１、図２のように係止器材８に突起の係止具９、１０をそれぞれ設置し、横幅が同じ輸送容器６のその対応個所に設置した開孔の被係止具１１に挿入したり、係止突部の被係止具１１に輪ゴム等で係止して防水器材７、係止器材８を固定したりするようにしている。
【００２４】そして、上記防水器材７に充分な量の水（本発明者の実験により、１０本のバラの場合、１時間に所要水分は１０ｃｃぐらい）を注入して所要の切り花１の茎３を切ったその切り口４を保水剤５に所要数挿入し、係止具９、１０を被係止部１１に固定して、図３のように段ボールの輸送容器６に収容する。そして、トラック等の運送車の荷台に輸送容器６を積載し、所要の場所へ配送するものである。
【００２５】このように切り花の切り口を常に保水剤のなかに挿入しているため、花は鮮度を維持できるものである。
【００２６】図３は、本発明の他の実施例を示すものである。本実施例では、上記した防水器材７は蛇腹の容器としたものである。
【００２７】本実施例でも、前実施例と同様の効果を奏するとともに、防水器材と係止器材とを別個に量産化できて、また係止器材のサイズを変えるだけで従来の包装箱に対応ができる。
【００２８】
【発明の効果】以上のように本発明にあっては、輸送する切り花の鮮度を維持できるものであり、また市場・小売店等制限のある場所では一時的に横積みもできる。従って、輸入品と差別化が図れる。
【００２９】また、防水器材を折り畳み自在や伸縮自在、膨縮自在に形成することによって、保管・リサイクル時などに折り畳んだり、縮めたりすることができる。
【００３０】また、防水器材に係止器材を設け、輸送容器の上記係止部の対向部に被係止部を設けて、これらの係止部を被係止部に係止することによって、包装箱に容器を固定でき、切り花を傷まないように保護して輸送することができる。
【００３１】さらに、防水器材と係止器材を分離可能に接続することによって、防水器材と係止器材とを別個に量産化できて、また係止器材のサイズを変えるだけで従来の包装箱に対応ができる。
【図面の簡単な説明】
【図１】本発明の一実施例の一部省略した側断面図、
【図２】同上の防水器材部及び係止器材正面図（ａ）、側面図（ｂ）、平面図（ｃ）、
【図３】同上の他の実施例の一部省略した側断面図。
【符号の説明】
１…花      ２…輸送用装置    ３…茎      ４…切り口
５…水  ６…輸送容器    ７…防水器材    ８…係止器材
【図１】
2004182342.tif 000003
【図２】
2004182342.tif 000004
【図３】
2004182342.tif 000005